(57)【要約】【課題】所定の処理（例えば録画処理など）が、実際よりも遅れている現在時刻に基づいて開始されることを、極力回避することが可能となる電子機器を提供する。【解決手段】複数種の時刻情報提供源の各々から時刻情報を取得する、時刻情報取得部と、前記時刻情報の各々を基準として、現在時刻を別個にカウントする現在時刻管理部と、該別個にカウントされている現在時刻のうちの最も進んでいるものの状態に応じて、所定の処理を開始する、処理実行部と、を備えた電子機器とする。【選択図】図４
2010096659.tif 000002
【特許請求の範囲】
【請求項１】
複数種の時刻情報提供源の各々から時刻情報を取得する、時刻情報取得部と、
前記時刻情報の各々を基準として、現在時刻を別個にカウントする現在時刻管理部と、
該別個にカウントされている現在時刻のうちの最も進んでいるものの状態に応じて、所定の処理を開始する、処理実行部と、
を備えたことを特徴とする電子機器。
【請求項２】
情報を放送する放送局から、該情報を受信する放送受信部を備え、
前記処理実行部は、
前記別個にカウントされている現在時刻のうちの最も進んでいるものが、予め設定された第１時刻に達したときに、前記受信された情報の記録を開始することを特徴とする請求項１に記載の電子機器。
【請求項３】
前記処理実行部は、
前記別個にカウントされている現在時刻のうちの最も遅れているものが、予め設定された第２時刻に達したときに、前記受信された情報の記録を終了することを特徴とする請求項２に記載の電子機器。
【請求項４】
前記現在時刻管理部は、
既にカウント中の現在時刻に対応した時刻情報が新たに取得された場合、該時刻情報に基づいて、該現在時刻を修正することを特徴とする請求項１から請求項３の何れかに記載の電子機器。
【請求項５】
前記時刻情報取得部は、
標準電波によって送信される時刻情報、ＧＰＳ衛星から送信される時刻情報、およびＴＯＴ時刻情報の各々を取得することを特徴とする請求項１から請求項４の何れかに記載の電子機器。
【発明の詳細な説明】
【技術分野】
【０００１】
本発明は、時計機能を有する電子機器に関し、特に時刻情報を取得するものに関する。
【背景技術】
【０００２】
従来、多くの種類の電子機器においては、時計機能（現在時刻をカウントする機能）が設けられている。この時計機能によれば、所定の処理を開始させるタイミングや終了させるタイミングなどを容易に制御することが可能となり、利便性が大きく向上する。例えば録画機能付の放送受信装置においては、ユーザに予め録画開始時間と録画終了時間を設定させておき、その間の時間帯に放送される番組を自動的に録画させること（予約録画）も可能となる。
【０００３】
また時計機能が設けられた電子機器としては、例えば特許文献１に開示されているように、時刻情報の提供源（ここでは、標準電波を送信する送信局）から時刻情報（送信時の時刻を示す情報）を受取り、これを基準にして現在時刻をカウントするもの（既にカウント中の場合は、その現在時刻を修正するもの）も存在する。
【０００４】
このような電子機器では、機器内部での現在時刻のカウントで生じた誤差を修正することができ、時計機能の精度をより高めることが可能となる。なお現在時刻情報の提供源としては、上述した送信局の他、ＧＰＳ衛星や地上デジタル放送の放送局（ＴＯＴを送信する）などが存在する。
【特許文献１】特開２００７−３３１５３５号公報
【発明の開示】
【発明が解決しようとする課題】
【０００５】
先述の通り、提供された時刻情報を基準として現在時刻をカウントする電子機器によれば、比較的精度の高い時計機能を発揮することが可能である。しかしこのような電子機器であっても、時刻情報を常時安定的に受信できるとは限らない。なお、当該電子機器が携帯型の端末であるような場合は、電波が届きにくい場所に持ち運ばれることも想定される。
【０００６】
時刻情報を受信することが出来ない期間は、以前に受信した時刻情報を基準にカウントされている現在時刻が参照される。しかし比較的長期の間、時刻情報を受信することができない場合には、機器内部での現在時刻のカウントにおいて、相当の誤差が生じるおそれがある。特に、単一の時刻情報提供源から時刻情報を受信するものでは、この受信が妨げられると、機器内部でカウントされる現在時刻の精度を保つことは難しくなる。
【０００７】
なお、カウントされている現在時刻が実際よりも遅れていると、例えば予約録画を実行する放送受信装置においては、録画漏れが生じるといった不都合が生じる。すなわち、例えば録画開始時刻が８時にセットされていても、８時を過ぎてから録画が開始されてしまうことになり、録画すべき放送番組の冒頭の部分が、録画されない事態となってしまう。このような事情から、録画などの処理が、実際よりも遅れた現在時刻に基づいて開始されることは、極力回避されることが望ましい。
【０００８】
本発明は、上述した問題点に鑑み、所定の処理（例えば録画処理など）が、実際よりも遅れている現在時刻に基づいて開始されることを、極力回避することが可能となる電子機器の提供を目的とする。
【課題を解決するための手段】
【０００９】
上記目的を達成するため、本発明に係る電子機器は、複数種の時刻情報提供源の各々から時刻情報を取得する、時刻情報取得部と、前記時刻情報の各々を基準として、現在時刻を別個にカウントする現在時刻管理部と、該別個にカウントされている現在時刻のうちの最も進んでいるものの状態に応じて、所定の処理を開始する、処理実行部と、を備えた構成とする。
【００１０】
本構成によれば、別個にカウントされている現在時刻のうちの最も進んでいるものの状態（例えば、ある時刻に達したという状態）に応じて、所定の処理が開始される。そのため、所定の処理（例えば録画処理など）が、実際よりも遅れている現在時刻に基づいて開始されることを、極力回避することが可能となる。
【００１１】
また上記構成において、情報を放送する放送局から、該情報を受信する放送受信部を備え、前記処理実行部は、前記別個にカウントされている現在時刻のうちの最も進んでいるものが、予め設定された第１時刻に達したときに、前記受信された情報の記録を開始する構成としてもよい。
【００１２】
本構成によれば、例えば何れかのカウントされている現在時刻が、実際の現在時刻より遅れていたとしても、他のカウントされている現在時刻に遅れがなければ（或いは遅れの度合が小さければ）、これが第１時刻に達したときに、放送される情報の記録（例えば、テレビ番組の録画）が開始される。その結果、当該記録の開始が遅れることを極力防止することが可能となる。
【００１３】
また上記構成において、前記処理実行部は、前記別個にカウントされている現在時刻のうちの最も遅れているものが、予め設定された第２時刻に達したときに、前記受信された情報の記録を終了する構成としてもよい。
【００１４】
本構成によれば、例えば何れかのカウントされている現在時刻が、実際の現在時刻より進んでいたとしても、他のカウントされている現在時刻に進みがなければ（或いは進みの度合が小さければ）、これが第２時刻に達したときに、放送される情報の記録（例えば、テレビ番組の録画）が終了される。その結果、当該記録の終了が早まることを極力防止することが可能となる。
【００１５】
また上記構成において、前記現在時刻管理部は、既にカウント中の現在時刻に対応した時刻情報が新たに取得された場合、該時刻情報に基づいて、該現在時刻を修正する構成としてもよい。
【００１６】
本構成によれば、現在時刻のカウントにおいて生じていた誤差を、修正することが可能となる。その結果、カウントされている現在時刻の精度を、極力高く維持させることが可能となる。
【００１７】
また上記構成としてより具体的には、前記時刻情報取得部は、標準電波によって送信される時刻情報、ＧＰＳ衛星から送信される時刻情報、およびＴＯＴ時刻情報の各々を取得する構成としてもよい。
【発明の効果】
【００１８】
上述の通り、本発明に係る電子機器によれば、別個にカウントされている現在時刻のうちの最も進んでいるものの状態（例えば、ある時刻に達したという状態）に応じて、所定の処理が開始される。そのため、所定の処理（例えば録画処理など）が、実際よりも遅れている現在時刻に基づいて開始されることを、極力回避することが可能となる。
【発明を実施するための最良の形態】
【００１９】
本発明の実施形態について、車載用の放送受信装置を例に挙げて、以下に説明する。当該放送受信装置の構成図（ブロック図）を、図１に示す。本図に示すように、放送受信装置１は、標準電波用チューナ１１、ＧＰＳ信号用チューナ１２、地上デジタル放送用チューナ１３、標準電波処理部１４、ＧＰＳ信号処理部１５、地上デジタル放送処理部１６、時刻情報管理部１７、制御部１８、操作部１９、表示部２０、音声出力部２１、および記憶部２２などを備えている。
【００２０】
標準電波用チューナ１１は、標準電波を送信する送信局（日本ではＪＪＹ）から、標準電波によって伝送される信号を受信する。なお当該信号には、送信時の時刻情報（以下、「標準電波時刻情報」とする）が含まれている。受信された当該信号は、標準電波処理部１４に伝送される。
【００２１】
ＧＰＳ信号用チューナ１２は、ＧＰＳ［Global Positioning System］衛星から送信される、ＧＰＳ信号を受信する。このＧＰＳ信号には、一般的に知られているように、送信時の時刻情報（以下、「ＧＰＳ時刻情報」とする）が含まれている。受信されたＧＰＳ信号は、標準電波処理部１４に伝送される。
【００２２】
地上デジタル放送用チューナ１３は、地上デジタル放送の放送局から送信される放送信号を受信する。何れのチャンネルを受信するかについては、制御部１８の指示に従う。なお地上デジタル放送の信号には、一般的に知られているように、テレビ番組に係る映像や音声情報の他、ＴＯＴ［Time Offset Table］と呼ばれる送信時の時刻情報（以下、「ＴＯＴ時刻情報」とする）が含まれている。受信された放送信号は、地上デジタル放送処理部１６に伝送される。
【００２３】
標準電波処理部１４は、標準電波用チューナ１１より伝送された信号から、標準電波時刻情報を抽出し、時刻情報管理部１７に伝送する。
【００２４】
ＧＰＳ信号処理部１５は、ＧＰＳ信号用チューナ１２から伝送されたＧＰＳ信号を用いて、自機の位置（放送受信装置１を搭載している車両の位置）を検出し、検出された情報を制御部１８に伝送する。また、このＧＰＳ信号から抽出されたＧＰＳ時刻情報を、時刻情報管理部１７に伝送する。
【００２５】
地上デジタル放送処理部１６は、地上デジタル放送用チューナ１３より伝送された放送信号から、テレビ番組に係る映像情報や音声情報を抽出し、制御部１８に伝送する。また、この放送信号から抽出されたＴＯＴ時刻情報を、時刻情報管理部１７に伝送する。
【００２６】
時刻情報管理部１７は、標準電波時刻管理部１７ａ、ＧＰＳ時刻管理部１７ｂ、およびＴＯＴ時刻管理部１７ｃを備えており、各種の時刻情報を基準とした現在時刻を、別個に管理（カウント）する処理（以下、「時刻管理処理」とする）を実行する。
【００２７】
より具体的には、標準電波時刻管理部１７ａは、標準電波時刻情報を基準とした現在時刻（以下、「標準電波時刻」とする）をカウントし、ＧＰＳ時刻管理部１７ｂは、ＧＰＳ時刻情報を基準とした現在時刻（以下、「ＧＰＳ時刻」とする）をカウントし、ＴＯＴ時刻管理部１７ｃは、ＴＯＴ時刻情報を基準とした現在時刻（以下、「ＴＯＴ時刻」とする）をカウントする。
【００２８】
なお各時刻情報は、通常、送信された時点の時刻を表している。そのため厳密に言えば、各時刻情報が表す時刻は、時刻情報が放送受信装置１に伝送されてカウントが開始される時刻を基準とすると、伝送や処理等に起因する遅延の分だけ、誤差を有していることになる。そこで当該遅延の度合いを予め見積もっておき、時刻情報管理部１７においては、この誤差が打ち消されるように、各時刻情報を基準とした現在時刻がカウントされるようになっていても良い。
【００２９】
また時刻情報管理部１７は、標準電波時刻情報が既に取得されているかを示す「標準電波時刻取得フラグ」、ＧＰＳ時刻情報が既に取得されているかを示す「ＧＰＳ時刻取得フラグ」、および、ＴＯＴ時刻情報が既に取得されているかを示す「ＴＯＴ時刻取得フラグ」の各々を記憶している。これらのフラグは、それぞれ「０」または「１」の値をとり、「０」は、対応する時刻情報が未だ取得されていない状態を、「１」は、対応する時刻情報が既に取得されている状態を示す。なお、時刻管理処理の流れについては、改めて説明する。
【００３０】
制御部１８は、放送受信装置１において実行される各種の処理を制御する。なお放送受信装置１において実行される主な処理としては、ルート案内処理、テレビ放送受像処理、および予約録画処理などがある。
【００３１】
ルート案内処理は、表示部２０に地図を表示させ、この地図上に、先述したＧＰＳ信号を用いて検出される車両の位置を表示させる処理である。このようなルート案内処理が実行されることにより、放送受信装置１は、一般的なカーナビゲーション装置としての機能を発揮することが可能となっている。
【００３２】
テレビ放送受像処理は、先述したテレビ番組に係る映像情報を用いて、表示部２０に映像を表示させるとともに、テレビ番組に係る音声情報を用いて、音声出力部２１に音声を出力させる処理である。このようなテレビ番組表示処理がなされることにより、放送受信装置１は、一般的なテレビ放送受像機としての機能を発揮することが可能となっている。なお、予約録画処理の内容については、改めて詳細に説明する。
【００３３】
操作部１９は、例えばリモコン装置やスイッチボタン等が備えられており、ユーザによる操作の内容を制御部１８に伝送する。これにより放送受信装置１は、ユーザの意図を反映させた各種処理を実行することが可能となっている。
【００３４】
表示部２０は、例えばＬＣＤ［Liquid Crystal Display］として構成されており、制御部１８の指示に従って、各種の映像（或いは画像）を表示する。また音声出力部２１は、スピーカを有しており、制御部１８の指示に従って、各種の音声を出力する。また記憶部２２は、録画の対象である映像情報や音声情報など、種々の情報を記憶する。
【００３５】
ここで、先述した「時刻管理処理」の流れについて、図２に示すフローチャートを参照しながら、以下に説明する。
【００３６】
時刻情報管理部１７は、標準電波処理部１４から標準電波時刻情報が取得（伝送）されたか（ステップＳ１）、ＧＰＳ信号処理部１５からＧＰＳ時刻情報が取得されたか（ステップＳ２）、および地上デジタル放送処理部１６からＴＯＴ時刻情報が取得されたか（ステップＳ３）について、常時監視している。
【００３７】
その結果、標準電波時刻情報が取得された場合は（ステップＳ１のＹ）、標準電波時刻取得フラグの値が判別される（ステップＳ１１）。そして標準電波時刻取得フラグが「０」であれば（ステップＳ１１のＹ）、標準電波時刻取得フラグが「１」に更新されるとともに、今回取得された標準電波時刻情報を基準として、標準電波時刻のカウントが開始される（ステップＳ１２）。
【００３８】
一方、標準電波時刻取得フラグが「１」であれば（ステップＳ１１のＮ）、今回取得された標準電波時刻情報に基づいて、現在カウント中の標準電波時刻が修正された上で、当該カウントが続行される（ステップＳ１３）。これにより、カウント中に生じていた標準電波時刻の誤差が、適切に修正されることになる。なおステップＳ１２またはＳ１３の処理が完了したら、ステップＳ２の処理に進む。
【００３９】
また、ＧＰＳ時刻情報が取得された場合は（ステップＳ２のＹ）、ＧＰＳ時刻取得フラグの値が判別される（ステップＳ２１）。そしてＧＰＳ時刻取得フラグが「０」であれば（ステップＳ２１のＹ）、ＧＰＳ時刻取得フラグが「１」に更新されるとともに、今回取得されたＧＰＳ時刻情報を基準として、ＧＰＳ時刻のカウントが開始される（ステップＳ２２）。
【００４０】
一方、ＧＰＳ時刻取得フラグが「１」であれば（ステップＳ２１のＮ）、今回取得されたＧＰＳ時刻情報に基づいて、現在カウント中のＧＰＳ時刻が修正された上で、当該カウントが続行される（ステップＳ２３）。これにより、カウント中に生じていたＧＰＳ時刻の誤差が、適切に修正されることになる。なおステップＳ２２またはＳ２３の処理が完了したら、ステップＳ３の処理に進む。
【００４１】
また、ＴＯＴ時刻情報が取得された場合は（ステップＳ３のＹ）、ＴＯＴ時刻取得フラグの値が判別される（ステップＳ３１）。そしてＴＯＴ時刻取得フラグが「０」であれば（ステップＳ３１のＹ）、ＴＯＴ時刻取得フラグが「１」に更新されるとともに、今回取得されたＴＯＴ時刻情報を基準として、ＴＯＴ時刻のカウントが開始される（ステップＳ３２）。
【００４２】
一方、ＴＯＴ時刻取得フラグが「１」であれば（ステップＳ３１のＮ）、今回取得されたＴＯＴ時刻情報に基づいて、現在カウント中のＴＯＴ時刻が修正された上で、当該カウントが続行される（ステップＳ３３）。これにより、カウント中に生じていたＴＯＴ時刻の誤差が、適切に修正されることになる。なおステップＳ３２またはＳ３３の処理が完了したら、ステップＳ１の処理に戻る。
【００４３】
以上に説明した時刻管理処理によれば、各種の時刻情報を取得し、標準電波時刻、ＧＰＳ時刻、およびＴＯＴ時刻の各々を、別個にカウントすることが可能である。また当該カウント中に新たに時刻情報が取得された場合は、この時刻情報に基づいて、カウントされている現在時刻を修正することが可能である。
【００４４】
なお、時刻管理処理の具体的な内容としては、その主旨が損なわれない限り、他の態様のものが採用されても良い。例えば、標準電波時刻を管理する処理（標準電波時刻管理処理）、ＧＰＳ時刻を管理する処理（ＧＰＳ時刻管理処理）、およびＴＯＴ時刻を管理する処理（ＴＯＴ時刻管理処理）の各々が、並列的に実行されるものとしても良い。このようにした場合のフローチャートを、図３に示す。なお、各時刻管理処理における各ステップの処理内容は、図２を用いて説明したものと基本的に同じであるため、ここでは詳細な説明を省略する。
【００４５】
次に、先述した「予約録画処理」の流れについて、図４および図５に示すフローチャートを参照しながら、以下に説明する。
【００４６】
制御部１８は、ユーザによって予約録画処理の実行が指示された場合に、予約録画処理を開始する。予約録画処理が開始されると、まず表示部２０に、図６に示すような予約録画設定画面が表示される（ステップＳ４１）。そしてこの状態で、ユーザによって録画開始設定時刻等の設定がなされたかが監視される（ステップＳ４２）。
【００４７】
なお予約録画設定画面には、録画開始設定時刻を表す表示窓２０ａ、録画終了設定時刻を表す表示窓２０ｂ、および録画設定チャンネルを表す表示窓２０ｃの各々が設けられており、各表示窓が表す事項は、ユーザが、操作部１９を通じて編集可能となっている。これによりユーザは、録画を開始させたい時刻を録画開始設定時刻として設定させ、録画を終了させたい時刻を録画終了設定時刻として設定させ、録画したい番組のチャンネルを録画設定チャンネルとして設定させることが可能となっている。
【００４８】
そして録画開始設定時刻等の設定がなされたら（ステップＳ４２のＹ）、標準電波時刻取得フラグが「１」であるかが判別される（ステップＳ４３）。その結果、「１」であった場合には（ステップＳ４３のＹ）、標準電波時刻が録画開始設定時刻に達しているか否かが、更に判別される（ステップＳ４４）。
【００４９】
その結果、達していれば（ステップＳ４４のＹ）、録画（録画設定チャンネルに係るテレビ放送の映像・音声情報を、記憶部２２に記憶させていく処理）を開始する（ステップＳ４５）。ただし、標準電波時刻取得フラグが「０」である場合（ステップＳ４３のＮ）、もしくは、標準電波時刻が録画開始設定時刻に達していない場合（ステップＳ４４のＮ）には、次に、ＧＰＳ時刻取得フラグが「１」であるかが判別される（ステップＳ４６）。
【００５０】
その結果、「１」であった場合には（ステップＳ４６のＹ）、ＧＰＳ時刻が録画開始設定時刻に達しているか否かが、更に判別される（ステップＳ４７）。そして達していれば（ステップＳ４７のＹ）、録画を開始する（ステップＳ４５）。ただし、ＧＰＳ時刻取得フラグが「０」である場合（ステップＳ４６のＮ）、もしくは、ＧＰＳ時刻が録画開始設定時刻に達していない場合（ステップＳ４７のＮ）には、次に、ＴＯＴ時刻取得フラグが「１」であるかが判別される（ステップＳ４８）。
【００５１】
その結果、「１」であった場合には（ステップＳ４８のＹ）、ＴＯＴ時刻が録画開始設定時刻に達しているか否かが、更に判別される（ステップＳ４９）。そして達していれば（ステップＳ４９のＹ）、録画を開始する（ステップＳ４５）。ただし、ＴＯＴ時刻取得フラグが「０」である場合（ステップＳ４８のＮ）、もしくは、ＴＯＴ時刻が録画開始設定時刻に達していない場合（ステップＳ４９のＮ）には、所定時間（例えば１秒）の待機の後（ステップＳ５０）、ステップＳ４３の処理に戻る。
【００５２】
なお、標準電波時刻取得フラグ、ＧＰＳ時刻取得フラグ、およびＴＯＴ時刻取得フラグの何れもが「０」である場合、つまり、何れの時刻情報も未取得である場合には、その旨がユーザに報知されるようになっていても良い。またこの場合、応急処置として、例えばユーザが現在の時刻を手作業で入力し、これを基準に標準電波時刻がカウントされるようになっていても良い。
【００５３】
また録画の開始（ステップＳ４５）がなされた後は、当該録画の処理に並行して、以下に説明するステップＳ５１以降の処理（図５を参照）が実行される。まず、標準電波時刻取得フラグが「１」であるかが判別される（ステップＳ５１）。その結果、「１」であった場合には（ステップＳ５１のＹ）、標準電波時刻が録画終了設定時刻に達しているか否かが、更に判別される（ステップＳ５２）。
【００５４】
その結果、達していなければ（ステップＳ５２のＮ）、所定時間（例えば１秒）の待機の後（ステップＳ５３）、ステップＳ５１の処理に戻る。ただし、標準電波時刻取得フラグが「０」である場合（ステップＳ５１のＮ）、もしくは、標準電波時刻が録画終了設定時刻に達している場合（ステップＳ５２のＹ）には、次に、ＧＰＳ時刻取得フラグが「１」であるかが判別される（ステップＳ５４）。
【００５５】
その結果、「１」であった場合には（ステップＳ５４のＹ）、ＧＰＳ時刻が録画終了設定時刻に達しているか否かが、更に判別される（ステップＳ５２）。そして達していなければ（ステップＳ５２のＮ）、所定時間の待機の後（ステップＳ５３）、ステップＳ５１の処理に戻る。ただし、ＧＰＳ時刻取得フラグが「０」である場合（ステップＳ５４のＮ）、もしくは、ＧＰＳ時刻が録画終了設定時刻に達している場合（ステップＳ５５のＹ）には、次に、ＴＯＴ時刻取得フラグが「１」であるかが判別される（ステップＳ５６）。
【００５６】
その結果、「１」であった場合には（ステップＳ５６のＹ）、ＴＯＴ時刻が録画終了設定時刻に達しているか否かが、更に判別される（ステップＳ５７）。そして達していなければ（ステップＳ５７のＮ）、所定時間の待機の後（ステップＳ５３）、ステップＳ５１の処理に戻る。ただし、ＴＯＴ時刻取得フラグが「０」である場合（ステップＳ５６のＮ）、もしくは、ＴＯＴ時刻が録画終了設定時刻に達している場合（ステップＳ５７のＹ）には、現在実行中である録画が終了され（ステップＳ５８）、予約録画処理が終了する。
【００５７】
以上に説明した予約録画処理によれば、ユーザが予め設定した時間帯（録画開始設定時刻から録画終了設定時刻まで）に放送される、所望のチャンネルのテレビ番組を、録画させることが可能である。また録画の開始（ステップＳ４５）は、時刻情報管理部１７でカウントされている標準電波時刻、ＧＰＳ時刻、およびＴＯＴ時刻のうちの最も進んでいるものが、録画開始設定時刻に達したときに、実行される（ステップＳ４３〜Ｓ５０の処理を参照）。
【００５８】
そのため、例えばカウントされている標準電波時刻に誤差が発生しており、実際の現在時刻より遅れていたとしても、カウントされているＧＰＳ時刻またはＴＯＴ時刻に遅れがなければ（或いは遅れの度合が小さければ）、これが録画開始設定時刻に達したときに、録画が開始される。その結果、録画開始の遅れを極力防止することが可能となっている。
【００５９】
なお、例えばカウントされている標準電波時刻が、誤差発生のために実際の現在時刻より進んでいた場合、これが録画開始設定時刻に達したときに、録画が開始される（つまり、録画開始設定時刻よりも早めに録画が開始される）可能性がある。
【００６０】
この点、録画が遅れて開始された場合には、録画されるべき番組の冒頭部分が欠けてしまう（録画し損ねてしまう）ことになるが、録画が早めに開始された場合には、初めに余分な部分が録画されるものの、録画されるべき番組の冒頭部分が欠けることはない。そのため本実施形態の放送受信装置１は、録画されるべき番組を、極力欠けることなく録画することが可能であり、有用であるといえる。
【００６１】
また録画の終了（ステップＳ５８）は、時刻情報管理部１７でカウントされている標準電波時刻、ＧＰＳ時刻、およびＴＯＴ時刻のうちの最も遅れているものが、録画終了設定時刻に達したときに、実行される（ステップＳ５１〜Ｓ５８の処理を参照）。
【００６２】
そのため、例えばカウントされている標準電波時刻に誤差が発生しており、実際の現在時刻より進んでいたとしても、カウントされているＧＰＳ時刻またはＴＯＴ時刻が進んでいなければ（或いは進みの度合が小さければ）、これが録画終了設定時刻に達したときに、録画が終了される。その結果、早めに録画が終了されることを極力防止することが可能となっている。
【００６３】
なお、例えばカウントされている標準電波時刻が、誤差発生のために実際の現在時刻より遅れていた場合、これが録画開始設定時刻に達したときに、録画が終了される（つまり、録画終了設定時刻よりも遅めに録画が終了される）可能性がある。
【００６４】
この点、録画が早めに終了された場合には、録画されるべき番組の最終部分が欠けてしまう（録画し損ねてしまう）ことになるが、録画が遅めに終了された場合には、最後に余分な部分が録画されるものの、録画されるべき番組の最終部分が欠けることはない。そのため本実施形態の放送受信装置１は、録画されるべき番組を、極力欠けることなく録画することが可能であり、有用であるといえる。
【００６５】
なお、一部が欠けて録画された場合には、この欠けた部分を修復させることは困難であるが、余分に録画された場合には、例えば事後的な編集によって、余分な部分を削除することは比較的容易である。このことから、放送受信装置１は、所望の番組を過不足なく録画することが容易となる点でも、有用であるといえる。またこのような編集（一旦録画された情報における任意の部分を削除する編集）の実行が予定される場合、放送受信装置１においては、当該編集が可能となっていることが望ましい。
【００６６】
以上に説明したとおり、本実施形態に係る放送受信装置１は、複数種の時刻情報提供源の各々から時刻情報を取得する機能、これらの時刻情報の各々を基準として、現在時刻を別個にカウントする機能、および、これらの別個にカウントされている現在時刻のうちの、最も進んでいるものの状態に応じて、所定の処理（録画処理）を開始する機能を備えている。そのため、所定の処理（録画処理）が、実際よりも遅れている現在時刻に基づいて開始されることを、極力回避することが可能となっている。
【００６７】
また、本実施例に係る放送受信装置１では、３種類の時刻情報提供源（標準電波の送信局、ＧＰＳ衛星、および地上デジタル放送の放送局）から時刻情報を取得するようになっているが、２種類あるいは４種類以上の時刻情報提供源から時刻情報を取得するものとしても構わない。なお、上記以外の時刻情報提供源としては、例えば、携帯電話の基地局や、パーソナルコンピュータなどが挙げられる。
【００６８】
また本実施例では、電子機器の一種として放送受信装置を挙げているが、本発明は、他種の電子機器にも適用可能である。例えば、予め設定された時刻にアラームを開始する時計や、予め設定された時刻に録音を開始する録音装置などに本発明を適用すれば、これらの処理が設定時刻よりも遅れて開始されることを、極力防止することが可能となる。
【００６９】
以上、本発明の実施形態について説明したが、本発明はこの内容に限定されるものではない。また本発明は、その主旨を逸脱しない限り、種々の改変を加えて実施され得る。
【産業上の利用可能性】
【００７０】
本発明は、予約録画機能を有する放送受信装置などにおいて利用可能である。
【図面の簡単な説明】
【００７１】
【図１】本発明の実施形態に係る放送受信装置の構成図である。
【図２】時刻管理処理についてのフローチャートである。
【図３】別の態様の時刻管理処理についてのフローチャートである。
【図４】予約録画処理についてのフローチャートの一部である。
【図５】予約録画処理についてのフローチャートの一部である。
【図６】予約録画設定画面に関する説明図である。
【符号の説明】
【００７２】
１    放送受信装置（電子機器）
１１    標準電波用チューナ
１２    ＧＰＳ信号用チューナ
１３    地上デジタル放送用チューナ
１４    標準電波処理部
１５    ＧＰＳ信号処理部
１６    地上デジタル放送処理部
１７    時刻情報管理部
１７ａ  標準電波時刻管理部
１７ｂ  ＧＰＳ時刻管理部
１７ｃ  ＴＯＴ時刻管理部
１８    制御部
１９    操作部
２０    表示部
２０ａ〜２０ｃ    表示窓
２１    音声出力部
２２    記憶部
【図１】
2010096659.tif 000003
【図２】
2010096659.tif 000004
【図３】
2010096659.tif 000005
【図４】
2010096659.tif 000006
【図５】
2010096659.tif 000007
【図６】
2010096659.tif 000008